(57)【要約】【課題】良好な耐リーク性能を確保しつつ、コスト低減を図ることが可能なコネクタ付きフラットケーブルを提供すること。【解決手段】フラットケーブル１２には、互いに隣接するフラット導体３１Ａ，３１Ｂ，３１Ｃの間に、隔壁２５が配置されるスリット３５Ａ，３５Ｂが形成され、スリット３５Ａ，３５Ｂにおける互いに隣接するフラット導体３１Ａ，３１Ｂ，３１Ｃの縁部は、少なくとも一方が絶縁性フィルム３２によって覆われている。【選択図】図２
2015135754.tif 000002
【特許請求の範囲】
【請求項１】
フラットケーブルの端部にコネクタが取り付けられたコネクタ付きフラットケーブルであって、
前記フラットケーブルは、並列に配列された複数の導体と、配列された前記導体の周囲を覆う絶縁材とを有し、
前記コネクタは、一列に配列され、前記フラットケーブルの端部における前記導体に導通接続された接続端子が収容される複数のキャビティと、隣接する前記キャビティを区画する隔壁とを有し、
前記フラットケーブルには、互いに隣接する前記導体の間に、前記隔壁が配置されるスリットが形成され、該スリットにおける互いに隣接する前記導体の縁部のうち、少なくとも一方の縁部が前記絶縁材によって覆われている、
ことを特徴とするコネクタ付きフラットケーブル。
【請求項２】
前記スリットにおける互いに隣接する前記導体の縁部のうち、幅の狭い前記導体の縁部が前記絶縁材によって覆われている、
ことを特徴とする請求項１に記載のコネクタ付きフラットケーブル。
【請求項３】
並列に配列された複数の導体と、
配列された前記導体の周囲を覆う絶縁材と
を備え、
互いに隣接する前記導体の間にはスリットが形成され、該スリットにおける互いに隣接する前記導体の縁部は、少なくとも一方が前記絶縁材によって覆われている、
ことを特徴とするフラットケーブル。
【発明の詳細な説明】
【技術分野】
【０００１】
本発明は、相手側コネクタと接続されるコネクタを備えたコネクタ付きフラットケーブル及びそのフラットケーブルに関する。
【背景技術】
【０００２】
複数のフラット導体を有するフラットケーブルは、そのフラット導体に接続端子を接続し、これらの接続端子をコネクタハウジングに形成されて隔壁で仕切られた端子収容室内に収容することで、コネクタ付きフラットケーブルとされる。そして、コネクタを相手側コネクタに接続することで、相手側コネクタの接続端子とフラット導体に接続された接続端子とが電気的に接続される。
【０００３】
また、コネクタ付きフラットケーブルには、コネクタハウジングの隔壁の一部を取り除き、コネクタハウジングの後端から隔壁を有するリテーナを挿し込み、フラットケーブルの隣接するフラット導体間の絶縁被覆部分の両面にハウジングの隔壁の先端とリテーナの隔壁の先端とを加圧状態で接触させるものが知られている（特許文献１参照）。
【先行技術文献】
【特許文献】
【０００４】
【特許文献１】特許第３９７７１８３号公報
【発明の概要】
【発明が解決しようとする課題】
【０００５】
上記の特許文献１に記載のコネクタ付きフラットケーブルによれば、隔壁との干渉を避けるためにフラットケーブルに形成されるスリットを設ける必要が無い。これにより、スリット部分でフラット導体が露出して隣接するフラット導体間で電流のリークが生じるような不具合が防止される。
【０００６】
しかし、このコネクタ付きフラットケーブルは、別部品であるリテーナを要するため、部品点数の増大によるコストアップを招いてしまう。
【０００７】
しかも、このコネクタ付きフラットケーブルでは、フラット導体の幅寸法が異なる各種のフラットケーブルに対応するハウジング及びリテーナを個別に成型して用意しなければならず、ハウジング及びリテーナの品番総数が増えてしまう。このことにより、製造コストが嵩んでしまう。
【０００８】
本発明は、上述した事情に鑑みてなされたものであり、その目的は、良好な耐リーク性能を確保しつつ、コスト低減を図ることが可能なコネクタ付きフラットケーブル及びそのフラットケーブルを提供することにある。
【課題を解決するための手段】
【０００９】
前述した目的を達成するために、本発明に係るコネクタ付きフラットケーブルは、下記（１）、（２）を特徴としている。
（１）  フラットケーブルの端部にコネクタが取り付けられたコネクタ付きフラットケーブルであって、
前記フラットケーブルは、並列に配列された複数の導体と、配列された前記導体の周囲を覆う絶縁材とを有し、
前記コネクタは、一列に配列され、前記フラットケーブルの端部における前記導体に導通接続された接続端子が収容される複数のキャビティと、隣接する前記キャビティを区画する隔壁とを有し、
前記フラットケーブルには、互いに隣接する前記導体の間に、前記隔壁が配置されるスリットが形成され、該スリットにおける互いに隣接する前記導体の縁部のうち、少なくとも一方の縁部が前記絶縁材によって覆われている、
ことを特徴とするコネクタ付きフラットケーブル。
（２）  前記スリットにおける互いに隣接する前記導体の縁部のうち、幅の狭い前記導体の縁部が前記絶縁材によって覆われている、
ことを特徴とする上記（１）に記載のコネクタ付きフラットケーブル。
【００１０】
上記（１）の構成のコネクタ付きフラットケーブルでは、例えば、リテーナを備えたコネクタやフラット導体の幅寸法に合わせた異なる幅寸法のキャビティを有するコネクタを用いる場合と比較して、同一幅寸法のキャビティを有する汎用のコネクタを用いることができるので、部品点数の削減及び形状の簡略化による低コスト化を図ることができる。また、キャビティ同士が隔壁で区画されるとともに、隔壁が配置されるフラットケーブルのスリットにおける互いに隣接する導体の縁部の少なくとも一方が絶縁材によって覆われているので、隣接する導体同士の間での電流のリークを抑制することができる。
また、上記（２）の構成のコネクタ付きフラットケーブルでは、スリットにおける互いに隣接する導体の縁部のうち、幅の狭い導体の縁部が絶縁材によって覆われている。このフラットケーブルを製造するにあたっては、隣接する導体のうち幅の広い導体を打ち抜いてスリットを形成すればよくなる。このため、隣接する導体のうち幅の狭い導体を打ち抜いてスリットを形成する場合に比べて、スリットの寸法をより自由度をもって設計することができる。
【００１１】
前述した目的を達成するために、本発明に係るフラットケーブルは、下記（３）を特徴としている。
（３）  並列に配列された複数の導体と、
配列された前記導体の周囲を覆う絶縁材と
を備え、
互いに隣接する前記導体の間にはスリットが形成され、該スリットにおける互いに隣接する前記導体の縁部は、少なくとも一方が前記絶縁材によって覆われている、
ことを特徴とするフラットケーブル。
【００１２】
上記（３）の構成のフラットケーブルでは、フラットケーブルのスリットにおける互いに隣接する導体の縁部の少なくとも一方が絶縁材によって覆われているので、隣接する導体同士の間での電流のリークを抑制することができる。
【発明の効果】
【００１３】
本発明によれば、良好な耐リーク性能を確保しつつ、コスト低減を図ることが可能なコネクタ付きフラットケーブル及びそのフラットケーブルを提供できる。
【００１４】
以上、本発明について簡潔に説明した。更に、以下に説明される発明を実施するための形態（以下、「実施形態」という。）を添付の図面を参照して通読することにより、本発明の詳細は更に明確化されるであろう。
【図面の簡単な説明】
【００１５】
【図１】図１は、本実施形態に係るコネクタ付きフラットケーブルの斜視図である。
【図２】図２は、コネクタ付きフラットケーブルのコネクタ部分における水平方向の断面図である。
【図３】図３は、コネクタ付きフラットケーブルのコネクタの端子挿入部側から視た拡大斜視図である。
【図４】図４は、比較例に係るコネクタ付きフラットケーブルのコネクタ部分における水平方向の断面図である。
【図５】図５は、比較例に係るコネクタ付きフラットケーブルのコネクタの端子挿入部側から視た拡大斜視図である。
【図６】図６は、変形例１に係るコネクタ付きフラットケーブルのコネクタ部分における水平方向の断面図である。
【図７】図７は、変形例２に係るコネクタ付きフラットケーブルのコネクタ部分における水平方向の断面図である。
【図８】図８は、変形例３に係るコネクタ付きフラットケーブルのコネクタ部分における水平方向の断面図である。
【発明を実施するための形態】
【００１６】
以下、本発明に係る実施の形態の例を、図面を参照して説明する。
【００１７】
図１は、本実施形態に係るコネクタ付きフラットケーブルの斜視図である。図２は、コネクタ付きフラットケーブルのコネクタ部分における水平方向の断面図である。図３は、コネクタ付きフラットケーブルのコネクタの端子挿入部側から視た拡大斜視図である。
【００１８】
図１及び図２に示すように、本実施形態に係るコネクタ付きフラットケーブル１０は、コネクタ１１と、フラットケーブル１２とから構成されている。
【００１９】
コネクタ１１は、例えば、プラスチック等の合成樹脂から成形されたハウジング２０を有しており、ハウジング２０の前方側が相手側コネクタと接続される接続部２１とされている。ハウジング２０は、その後方側が、端子挿入部２２とされている。ハウジング２０には、フラットケーブル接続部２３が上下方向に複数段（本例では三段）形成されている。フラットケーブル接続部２３は、それぞれ複数（本例では三つ）のキャビティ２４Ａ，２４Ｂ，２４Ｃを有しており、これらのキャビティ２４Ａ，２４Ｂ，２４Ｃは、横方向に配列されている。これらのキャビティ２４Ａ，２４Ｂ，２４Ｃには、ハウジング２０の後方側の端子挿入部２２から、後述する接続端子４１Ａ，４１Ｂ，４１Ｃが挿し込まれる。ハウジング２０のフラットケーブル接続部２３には、横方向に隣接するキャビティ２４Ａ，２４Ｂ，２４Ｃ同士の間に、隔壁２５が形成されており、これらの隔壁２５によって、横方向に隣接するキャビティ２４Ａ，２４Ｂ，２４Ｃが区画されている。キャビティ２４Ａ，２４Ｂ，２４Ｃは、同一の幅寸法Ｗを有している。このように、コネクタ１１のハウジング２０は、隔壁２５を有し、これらの隔壁２５によって同一の幅寸法Ｗのキャビティ２４Ａ，２４Ｂ，２４Ｃが形成された汎用型のコネクタである。
【００２０】
他方、フラットケーブル１２は、複数本（本例では三本）のフラット導体３１Ａ，３１Ｂ，３１Ｃを有している。フラットケーブル１２は、並列に配置されたフラット導体３１Ａ，３１Ｂ，３１Ｃの表裏面から絶縁性を有する樹脂からなる絶縁性フィルム（絶縁材）３２を貼り付けることで構成されている。配列されたフラット導体３１Ａ，３１Ｂ，３１Ｃは、その周囲が絶縁性フィルム３２によって覆われている。そして、このフラットケーブル１２には、フラット導体３１Ａ，３１Ｂ同士の間、フラット導体３１Ｂ，３１Ｃ同士の間、一側部のフラット導体３１Ａの外側及び他側部のフラット導体３１Ｃの外側に、絶縁性フィルム３２同士が貼り合わされた絶縁部３３が設けられている。
【００２１】
フラットケーブル１２を構成するフラット導体３１Ａ，３１Ｂ，３１Ｃは、図２に示すように、その幅寸法ＷＡ，ＷＢ，ＷＣが異なっている。具体的には、一側部のフラット導体３１Ａの幅寸法ＷＡよりも、このフラット導体３１Ａに隣接する中央のフラット導体３１Ｂの幅寸法ＷＢが小さくされ、さらに、このフラット導体３１Ｂに隣接する他側部のフラット導体３１Ｃの幅寸法ＷＣが一側部のフラット導体３１Ａの幅寸法ＷＡよりも大きくされている。このように、このフラットケーブル１２では、一番小さい幅寸法のフラット導体３１Ｂが中央に配置されている。つまり、これらのフラット導体３１Ａ，３１Ｂ，３１Ｃの幅寸法ＷＡ，ＷＢ，ＷＣは、次式の関係を有している。
【００２２】
ＷＢ＜ＷＡ＜ＷＣ
【００２３】
一側部のフラット導体３１Ａの幅寸法ＷＡは、キャビティ２４Ａ，２４Ｂ，２４Ｃの幅寸法Ｗと略同一寸法とされている。最小の幅寸法ＷＢを有するフラット導体３１Ｂは、その幅寸法ＷＢがキャビティ２４Ａ，２４Ｂ，２４Ｃの幅寸法Ｗよりも小さくされている。さらに、最大の幅寸法ＷＣを有するフラット導体３１Ｃは、その幅寸法ＷＣがキャビティ２４Ａ，２４Ｂ，２４Ｃの幅寸法Ｗよりも大きくされている。
【００２４】
フラットケーブル１２の端部には、複数のスリット３５Ａ，３５Ｂが形成されている。これらのスリット３５Ａ，３５Ｂは、フラットケーブル１２の一側部においてハウジング２０の隔壁２５に対応する位置に形成されている。スリット３５Ａ，３５Ｂは、ハウジング２０の隔壁２５の厚さ寸法よりも僅かに大きな幅寸法を有しており、スリット３５Ａ，３５Ｂには、ハウジング２０の隔壁２５が挿入される。また、フラットケーブル１２の端部には、他側部に、切欠き部３６が形成されてハウジング２０との干渉が回避されている。このように、フラットケーブル１２は、スリット３５Ａ，３５Ｂ及び切欠き部３６が形成されることで、キャビティ２４Ａ，２４Ｂ，２４Ｃに挿入可能な挿入部３７Ａ，３７Ｂ，３７Ｃが設けられている。
【００２５】
挿入部３７Ａは、挿入部３７Ｂと反対側の縁部が、絶縁性フィルム３２が貼り合わされてフラット導体３１Ａが覆われた絶縁部３３とされており、隣接する挿入部３７Ｂ側の縁部において、フラット導体３１Ａが露出している。
【００２６】
挿入部３７Ｂでは、隣接する挿入部３７Ａ側の縁部が、絶縁性フィルム３２が貼り合わされてフラット導体３１Ｂが覆われた絶縁部３３とされており、同様に、隣接する挿入部３７Ｃ側の縁部が、絶縁性フィルム３２が貼り合わされてフラット導体３１Ｂが覆われた絶縁部３３とされている。
【００２７】
挿入部３７Ｃは、隣接する挿入部３７Ｂ側の縁部において、フラット導体３１Ｃが露出しており、同様に、挿入部３７Ｂと反対側の縁部において、フラット導体３１Ｃが露出している。
【００２８】
このフラットケーブル１２には、その一端側に、接続端子４１Ａ，４１Ｂ，４１Ｃが設けられている。これらの接続端子４１Ａ，４１Ｂ，４１Ｃは、フラットケーブル１２における挿入部３７Ａ，３７Ｂ，３７Ｃに設けられている。接続端子４１Ａ，４１Ｂ，４１Ｃは、端子部４２と、加締め部４３とを有している。端子部４２は、相手側コネクタの接続端子のタブ端子部が挿し込まれることで電気的に接続される。加締め部４３は、複数の刃４３ａを有しており、これらの刃４３ａをフラットケーブル１２の挿入部３７Ａ，３７Ｂ，３７Ｃに刺して加締めることで、各フラット導体３１Ａ，３１Ｂ，３１Ｃと導通接続される。なお、フラットケーブル１２の挿入部３７Ａ，３７Ｂ，３７Ｃへの接続端子４１Ａ，４１Ｂ，４１Ｃの接続の仕方としては、刃４３ａを刺して加締めるピアッシングの他に、例えば、圧着、圧接、超音波溶接あるいは抵抗溶接等の接続技術によるものがある。
【００２９】
そして、これらの接続端子４１Ａ，４１Ｂ，４１Ｃは、ハウジング２０の端子挿入部２２側からキャビティ２４Ａ，２４Ｂ，２４Ｃへ挿し込むことで、キャビティ２４Ａ，２４Ｂ，２４Ｃ内に収容された状態で保持される。これにより、フラットケーブル１２にコネクタ１１のハウジング２０が取り付けられたコネクタ付きフラットケーブル１０が形成される。
【００３０】
そして、このコネクタ付きフラットケーブル１０では、コネクタ１１の接続部２１に相手側コネクタが接続されると、接続端子４１Ａ，４１Ｂ，４１Ｃの端子部４２と相手側コネクタの接続端子のタブ端子部とが電気的に接続され、フラットケーブル１２のフラット導体３１Ａ，３１Ｂ，３１Ｃへの通電が可能とされる。
【００３１】
ここで、本実施形態に係るコネクタ付きフラットケーブル１０では、図３に示すように、スリット３５Ａの形成箇所における互いに隣接するフラット導体３１Ａとフラット導体３１Ｂのうちの一方のフラット導体３１Ｂの縁部が絶縁部３３とされ、スリット３５Ｂの形成箇所における互いに隣接するフラット導体３１Ｂとフラット導体３１Ｃのうちの一方のフラット導体３１Ｂの縁部が絶縁部３３とされている。したがって、フラット導体３１Ａ，３１Ｂ，３１Ｃへの通電時に、互いに隣接するフラット導体３１Ａ，３１Ｂの間及びフラット導体３１Ｂ，３１Ｃの間での電流のリークが抑制されることとなる。
【００３２】
図４に示すものは、スリット３５Ｂの形成箇所において、互いに隣接するフラット導体３１Ｂ及びフラット導体３１Ｃが露出した比較例に係るコネクタ付きフラットケーブル１０Ａである。図５に示すように、キャビティ２４Ａ，２４Ｂ，２４Ｃの幅寸法Ｗが予め同位置に設定されている汎用のコネクタを用いる場合、スリット３５Ｂにおける隔壁２５が進入していない部分において、互いに隣接するフラット導体３１Ｂ，３１Ｃの露出部分が近接した状態となることがある。これにより、フラット導体３１Ａ，３１Ｂ，３１Ｃへの通電時に、互いに隣接するフラット導体３１Ｂ，３１Ｃの間で電流のリークが生じるおそれがある。
【００３３】
以上、説明したように、本実施形態に係るコネクタ付きフラットケーブル１０によれば、例えば、リテーナを備えたコネクタやフラット導体の幅寸法に合わせた異なる幅寸法のキャビティを有するコネクタを用いる場合と比較して、汎用のコネクタのように、同一幅寸法Ｗのキャビティ２４Ａ，２４Ｂ，２４Ｃを有するコネクタ１１を用いているので、部品点数の削減及び形状の簡略化による低コスト化を図ることができる。また、キャビティ２４Ａ，２４Ｂ，２４Ｃ同士が隔壁２５で区画されるとともに、隔壁２５が配置されるフラットケーブル１２のスリット３５Ａにおける互いに隣接するフラット導体３１Ａの縁部とフラット導体３１Ｂの縁部及びスリット３５Ｂにおける互いに隣接するフラット導体３１Ｂの縁部とフラット導体３１Ｃの縁部の少なくとも一方が絶縁性フィルム３２によって覆われた絶縁部３３とされている。これにより、互いに隣接するフラット導体３１Ａとフラット導体３１Ｂの間及びフラット導体３１Ｂとフラット導体３１Ｃの間での電流のリークを抑制することができる。
【００３４】
つまり、本実施形態に係るコネクタ付きフラットケーブル１０によれば、良好な耐リーク性能を確保しつつ、コスト低減を図ることができる。
【００３５】
また、本実施形態に係るコネクタ付きフラットケーブル１０では、スリット３５Ａ，３５Ｂにおける互いに隣接するフラット導体３１Ａ，３１Ｂ，３１Ｃの縁部のうち、幅の狭いフラット導体３１Ｂの縁部が絶縁性フィルム３２によって覆われている。このフラットケーブル１０を製造するにあたっては、隣接するフラット導体３１Ａ，３１Ｂ，３１Ｃのうち幅の広いフラット導体３１Ａ，３１Ｃを打ち抜いてスリット３５Ａ，３５Ｂを形成すればよくなる。このため、隣接する導体のうち幅の狭い導体を打ち抜いてスリットを形成する場合に比べて、スリットの寸法をより自由度をもって設計することができる。尚、幅の狭いフラット導体３１Ｂの縁部を絶縁性フィルム３２によって覆う構成は、本発明に必須の構成ではない。幅の広い導体の縁部を絶縁材によって覆うこともできる。
【００３６】
次に、変形例に係るコネクタ付きフラットケーブルについて説明する。
【００３７】
（変形例１）
図６は、変形例１に係るコネクタ付きフラットケーブルのコネクタ部分における水平方向の断面図である。
【００３８】
図６に示すように、このコネクタ付きフラットケーブル１０Ｂでは、フラットケーブル１２のフラット導体３１Ａ，３１Ｂ，３１Ｃの幅寸法ＷＡ，ＷＢ，ＷＣが、次式の関係を有している。
【００３９】
ＷＡ＜ＷＢ＜ＷＣ
【００４０】
フラットケーブル１２には、スリット３５Ａ，３５Ｂ及び切欠き部３６を形成することで、キャビティ２４Ａ，２４Ｂ，２４Ｃに挿入可能な挿入部３７Ａ，３７Ｂ，３７Ｃが設けられている。
【００４１】
挿入部３７Ａは、隣接する挿入部３７Ｂ側の縁部が、絶縁性フィルム３２が貼り合わされてフラット導体３１Ａが覆われた絶縁部３３とされており、同様に、挿入部３７Ｂと反対側の縁部が、絶縁性フィルム３２が貼り合わされてフラット導体３１Ａが覆われた絶縁部３３とされている。
【００４２】
挿入部３７Ｂは、隣接する挿入部３７Ａ側の縁部において、フラット導体３１Ｂが露出しており、挿入部３７Ｃ側の縁部が、絶縁性フィルム３２が貼り合わされてフラット導体３１Ｂが覆われた絶縁部３３とされている。
【００４３】
挿入部３７Ｃは、隣接する挿入部３７Ｂ側の縁部において、フラット導体３１Ｃが露出しており、同様に、挿入部３７Ｂと反対側の縁部において、フラット導体３１Ｃが露出している。
【００４４】
（変形例２）
図７は、変形例２に係るコネクタ付きフラットケーブルのコネクタ部分における水平方向の断面図である。
【００４５】
図７に示すように、このコネクタ付きフラットケーブル１０Ｃでは、フラットケーブル１２のフラット導体３１Ａ，３１Ｂ，３１Ｃの幅寸法ＷＡ，ＷＢ，ＷＣが、次式の関係を有している。
【００４６】
ＷＡ＜ＷＢ＜ＷＣ
【００４７】
フラットケーブル１２には、スリット３５Ａ，３５Ｂ及び切欠き部３６を形成することで、キャビティ２４Ａ，２４Ｂ，２４Ｃに挿入可能な挿入部３７Ａ，３７Ｂ，３７Ｃが設けられている。
【００４８】
挿入部３７Ａは、隣接する挿入部３７Ｂ側の縁部が、絶縁性フィルム３２が貼り合わされてフラット導体３１Ａが覆われた絶縁部３３とされており、同様に、挿入部３７Ｂと反対側の縁部が、絶縁性フィルム３２が貼り合わされてフラット導体３１Ａが覆われた絶縁部３３とされている。
【００４９】
挿入部３７Ｂは、隣接する挿入部３７Ａ側の縁部において、フラット導体３１Ｂが露出しており、同様に、挿入部３７Ｃ側の縁部において、フラット導体３１Ｂが露出している。
【００５０】
挿入部３７Ｃは、隣接する挿入部３７Ｂ側の縁部が、絶縁性フィルム３２が貼り合わされてフラット導体３１Ｃが覆われた絶縁部３３とされており、挿入部３７Ｂと反対側の縁部において、フラット導体３１Ｃが露出されている。
【００５１】
（変形例３）
図８は、変形例３に係るコネクタ付きフラットケーブルのコネクタ部分における水平方向の断面図である。
【００５２】
図８に示すように、このコネクタ付きフラットケーブル１０Ｄでは、フラットケーブル１２のフラット導体３１Ａ，３１Ｂ，３１Ｃの幅寸法ＷＡ，ＷＢ，ＷＣが、次式の関係を有している。
【００５３】
ＷＡ＝ＷＣ＜ＷＢ
【００５４】
フラットケーブル１２には、スリット３５Ａ，３５Ｂだけを形成することで、キャビティ２４Ａ，２４Ｂ，２４Ｃに挿入可能な挿入部３７Ａ，３７Ｂ，３７Ｃが設けられている。
【００５５】
挿入部３７Ａは、隣接する挿入部３７Ｂ側の縁部が、絶縁性フィルム３２が貼り合わされてフラット導体３１Ａが覆われた絶縁部３３とされており、同様に、挿入部３７Ｂと反対側の縁部が、絶縁性フィルム３２が貼り合わされてフラット導体３１Ａが覆われた絶縁部３３とされている。
【００５６】
挿入部３７Ｂは、隣接する挿入部３７Ａ側の縁部において、フラット導体３１Ｂが露出されており、同様に、挿入部３７Ｃ側の縁部において、フラット導体３１Ｂが露出されている。
【００５７】
挿入部３７Ｃは、隣接する挿入部３７Ｂ側の縁部が、絶縁性フィルム３２が貼り合わされてフラット導体３１Ｃが覆われた絶縁部３３とされており、同様に、挿入部３７Ｂと反対側の縁部が、絶縁性フィルム３２が貼り合わされてフラット導体３１Ｃが覆われた絶縁部３３とされている。
【００５８】
上記の変形例１から３のコネクタ付きフラットケーブル１０Ｂ〜１０Ｄの場合も、例えば、リテーナを備えたコネクタやフラット導体の幅寸法に合わせた異なる幅寸法のキャビティを有するコネクタを用いる場合と比較して、汎用のコネクタのように、同一幅寸法Ｗのキャビティ２４Ａ，２４Ｂ，２４Ｃを有するコネクタ１１を用いているので、部品点数の削減及び形状の簡略化による低コスト化を図ることができる。また、キャビティ２４Ａ，２４Ｂ，２４Ｃ同士が隔壁２５で区画されるとともに、隔壁２５が配置されるフラットケーブル１２のスリット３５Ａにおける互いに隣接するフラット導体３１Ａの縁部とフラット導体３１Ｂの縁部及びスリット３５Ｂにおける互いに隣接するフラット導体３１Ｂの縁部とフラット導体３１Ｃの縁部の少なくとも一方が絶縁性フィルム３２によって覆われた絶縁部３３とされている。これにより、互いに隣接するフラット導体３１Ａとフラット導体３１Ｂの間及びフラット導体３１Ｂとフラット導体３１Ｃの間での電流のリークを抑制することができる。
【００５９】
なお、上記実施形態では、三つのフラット導体を有するフラットケーブルを備えたものを例にとって説明したが、フラットケーブルは、二つのフラット導体または四つ以上のフラット導体を有するものであっても良い。
【００６０】
また、上記実施形態では、配列させたフラット導体に対して表裏から絶縁性フィルムを貼り合わせたフラットケーブルを例示したが、フラットケーブルとしては、配列させたフラット導体の周囲に絶縁樹脂からなる被覆を押出成形したものであっても良い。
【００６１】
尚、本発明は、上述した実施形態に限定されるものではなく、適宜、変形、改良、等が可能である。その他、上述した実施形態における各構成要素の材質、形状、寸法、数、配置箇所、等は本発明を達成できるものであれば任意であり、限定されない。
【００６２】
ここで、上述した本発明に係るコネクタ付きフラットケーブル及びそのフラットケーブルの実施形態の特徴をそれぞれ以下（１）〜（３）に簡潔に纏めて列記する。
（１）  フラットケーブル（１２）の端部にコネクタ（１１）が取り付けられたコネクタ付きフラットケーブル（１０，１０Ｂ，１０Ｃ，１０Ｄ）であって、
前記フラットケーブルは、並列に配列された複数の導体（フラット導体３１Ａ，３１Ｂ，３１Ｃ）と、配列された前記導体の周囲を覆う絶縁材（絶縁性フィルム３２）とを有し、
前記コネクタは、一列に配列され、前記フラットケーブルの端部における前記導体に導通接続された接続端子（４１Ａ，４１Ｂ，４１Ｃ）が収容される複数のキャビティ（２４Ａ，２４Ｂ，２４Ｃ）と、隣接する前記キャビティを区画する隔壁（２５）とを有し、
前記フラットケーブルには、互いに隣接する前記導体の間に、前記隔壁が配置されるスリット（３５Ａ，３５Ｂ）が形成され、該スリットにおける互いに隣接する前記導体の縁部のうち、少なくとも一方の縁部が前記絶縁材によって覆われている、
ことを特徴とするコネクタ付きフラットケーブル。
（２）  前記スリットにおける互いに隣接する前記導体の縁部のうち、幅の狭い前記導体の縁部が前記絶縁材によって覆われている、
ことを特徴とする（１）に記載のコネクタ付きフラットケーブル。
（３）  並列に配列された複数の導体（フラット導体３１Ａ，３１Ｂ，３１Ｃ）と、
配列された前記導体の周囲を覆う絶縁材（絶縁性フィルム３２）と
を備え、
互いに隣接する前記導体の間にはスリット（３５Ａ，３５Ｂ）が形成され、該スリットにおける互いに隣接する前記導体の縁部は、少なくとも一方が前記絶縁材によって覆われている、
ことを特徴とするフラットケーブル。
【符号の説明】
【００６３】
１０，１０Ｂ，１０Ｃ，１０Ｄ  コネクタ付きフラットケーブル
１１  コネクタ
１２  フラットケーブル
２４Ａ，２４Ｂ，２４Ｃ  キャビティ
２５  隔壁
３１Ａ，３１Ｂ，３１Ｃ  フラット導体（導体）
３２  絶縁性フィルム（絶縁材）
３５Ａ，３５Ｂ  スリット
４１Ａ，４１Ｂ，４１Ｃ  接続端子
【図１】
2015135754.tif 000003
【図２】
2015135754.tif 000004
【図３】
2015135754.tif 000005
【図４】
2015135754.tif 000006
【図５】
2015135754.tif 000007
【図６】
2015135754.tif 000008
【図７】
2015135754.tif 000009
【図８】
2015135754.tif 000010